(57)【特許請求の範囲】
【請求項１】
ゲル化洗浄組成物であって、
液体油又は展性ワックスを０．１〜９．９総重量％と、
乳化剤を０．０１〜１０総重量％と、
アルキレングリコールを０．００２〜１１総重量％と、
マイクロエマルジョンを０．２〜１５総重量％と、
前記組成物が２０℃での少なくとも４カ月の保存に亘って単相であるように該組成物の大部分を占める水と、
を含み、
前記乳化剤が、少なくとも１種のＣ6〜Ｃ12アルコールエチレンオキシド−プロピレンオキシド付加物と、少なくとも１種の高分子カルボキシレートと、及び少なくとも一種の分子乳化剤とを含み、
前記マイクロエマルジョンが、二塩基エステル、水、極性有機溶媒、及びスルホネート、サルフェート又はホスホネートであるアニオン界面活性剤を含む、組成物。
【請求項２】
前記分子乳化剤の分子量が５００原子質量単位以下である、請求項１に記載の組成物。
【請求項３】
前記マイクロエマルジョンが０．３〜１総重量％存在する、請求項１に記載の組成物。
【請求項４】
研磨剤を更に含む、請求項１に記載の組成物。
【請求項５】
皮膚軟化剤を更に含む、請求項４に記載の組成物。
【請求項６】
該組成物のｐＨを６〜９とするためにｐＨ添加剤を更に含む、請求項１に記載の組成物。
【請求項７】
多価金属イオン塩を更に含む、請求項１に記載のゲル化組成物。
【請求項８】
前記アニオン界面活性剤がスルホスクシネートである、請求項１に記載の組成物。
【請求項９】
前記極性有機溶媒が、二塩基性エステル、Ｃ2〜Ｃ14ジオール又はこれらの組み合わせの少なくとも１種を含む、請求項１に記載の組成物。
【請求項１０】
手の洗浄方法であって、
液体油又は展性ワックスを０．１〜９．９総重量％と、乳化剤を０．０１〜１０総重量％と、アルキレングリコールを０．００２〜１１総重量％と、マイクロエマルジョンを０．２〜１５総重量％と、前記組成物が２０℃での少なくとも４カ月の保存に亘って単相であるように該組成物の大部分を占める水とを含む組成物を塗布することであって、前記乳化剤が、少なくとも１種のＣ6〜Ｃ12アルコールエチレンオキシド−プロピレンオキシド付加物と、少なくとも１種の高分子カルボキシレートと、及び少なくとも一種の分子乳化剤とを含み、前記マイクロエマルジョンが、二塩基エステル、水、極性有機溶媒、及びスルホネート、サルフェート又はホスホネートであるアニオン界面活性剤を含む、ことと、
手の脂溶性物質と前記組成物が相互作用するために十分な時間おくことと、
前記組成物及び一部の前記脂溶性物質を手から除去することと、
を含む、方法。
【請求項１１】
脂溶性物質で覆われた無生物基材の洗浄方法であって、
液体油又は展性ワックスを０．１〜９．９総重量％と、乳化剤を０．０１〜１０総重量％と、アルキレングリコールを０．００２〜１１総重量％と、マイクロエマルジョンを０．２〜１５総重量％と、前記組成物が２０℃での少なくとも４カ月の保存に亘って単相であるように該組成物の大部分を占める水とを含む組成物を、前記脂溶性物質に塗布することであって、前記乳化剤が、少なくとも１種のＣ6〜Ｃ12アルコールエチレンオキシド−プロピレンオキシド付加物と、少なくとも１種の高分子カルボキシレートと、及び少なくとも一種の分子乳化剤とを含み、前記マイクロエマルジョンが、二塩基エステル、水、極性有機溶媒、及びスルホネート、サルフェート又はホスホネートであるアニオン界面活性剤を含む、ことと、
基材上の脂溶性物質と前記組成物が相互作用するために十分な時間おくことと、
前記組成物及び一部の前記脂溶性物質を前記基体から除去することと、
を含む、方法。
【発明の詳細な説明】
【技術分野】
【０００１】
本発明は、概して、皮膚並びにその他の表面から塗料、樹脂、油性汚れ（oily）及び有機汚れ等の脂溶性物質の除去のための強力洗浄組成物に関し、特に、一部又は全ての二塩基性エステルをポリマーマイクロエマルジョンで置換することによって優れた保存安定性を与える洗浄組成物に関する。
【背景技術】
【０００２】
皮膚等の表面から塗料及び樹脂を洗浄するための従来技術では、手洗浄用化合物配合物において工業目的の二塩基性エステルを組み合わせたものが利用されていた。これらの配合物は、脂溶性汚れの除去には効果的であるが、長期に亘る保存安定性に乏しく、受け入れられにくいものであった。二塩基性エステルは、経時的にそれらの酸対応物に加水分解される傾向がある。そのため、二塩基性エステルを含有する組成物のｐＨ及び粘度は顕著に低下し、該組成物の不安定化及び相分離を招く。短時間であれば相分離した組成物を撹拌によって均質にすることができるものの、すぐに二相状態に戻ってしまう。
【０００３】
洗浄組成物中に存在する二塩基性エステルの量を制限することは、洗浄組成物の全有機溶媒含量を低減する点で有利であるが、代替材料が安定性を保持し、皮膚かぶれを起こさないようにする一方、脂溶性汚れに対して効果的であることを立証しなければならないため、困難であった。また、二塩基性エステルの代替物はいずれも、経済協力開発機構によるＬＣ５０試験で計測される生態毒性値が低減されていることが理想とされる。その他の有機溶媒が評価されてきたが、これらの溶媒は二塩基性エステルの代替物に求められる様々な要求を満たさないことが明らかにされている。
【発明の概要】
【発明が解決しようとする課題】
【０００４】
したがって、生態毒性が低減され、皮膚適合性を有し、汚れに対する有効性を維持しつつ、優れた保存安定性を持った、従来の脂溶性汚れに対するゲル化洗浄組成物に見られる全て又は一部の二塩基性エステルが或る物質によって置換されている洗浄組成物が必要とされている。
【課題を解決するための手段】
【０００５】
標準温度及び標準気圧（ＳＴＰ）液体油又はＳＴＰ展性ワックス（malleable wax）を０．１〜９．９総重量％包含する、ゲル化洗浄組成物が提供される。乳化剤は０．０１〜１０総重量％存在するとともに、アルキレングリコールは０．００２〜１１総重量％存在する。該組成物中のマイクロエマルジョンは０．２〜１５総重量％で存在する。該組成物がｐＨ安定であり、２０℃で少なくとも４カ月間に亘って保存した場合でも単相であるように、該組成物の大部分を水が占める。
【発明の効果】
【０００６】
本組成物は、該組成物を塗布し、脂溶性物質が軟化又は可溶化されるまで十分な時間をおいた後、該組成物及び脂溶性物質の少なくとも一部を除去することにより、手又は無生物基材（inanimate substrate）から脂溶性物質を除去する方法における使用に適している。シリコーンガスケット並びにその他の硬化した樹脂及び塗料も容易に除去される。
【発明を実施するための形態】
【０００７】
本発明は、塗料、樹脂、油及び脂溶性汚れの除去に特に適しているゲル化洗浄組成物として有用である。本発明のゲル化洗浄組成物は、とりわけ使用者の皮膚からそのような物質及び汚れを除去するためのハンドクリーナーとして適している。本発明の組成物においては、これらの材料及び脂溶性汚れの除去のためのゲル化洗浄組成物の二塩基性エステルを、１〜１０総重量％のマイクロエマルジョンにより一部又は全体的に置き換えることで、一部又は全ての二塩基性エステルを置き換えることができる。マイクロエマルジョンと、材料の大部分を占める水、油、界面活性剤、アルキレングリコール、及びゲル化剤、並びに任意の添加剤との組み合わせは、保存上安定なゲル化洗浄組成物を形成する。二塩基性エステルの分量を低減した本発明の組成物は、従来のゲル化洗浄組成物と比較して本発明の配合物の粘度及びｐＨ安定性を向上し、また、ｄ−リモネンを含有するゲル化洗浄組成物に匹敵する挙動を示す。ｄ−リモネンは効果的な材料及び脂溶性汚れの除去溶媒を与えるものの、ｄ−リモネンは排水の生分解システムの運用に悪影響を与えることが知られている。
【０００８】
本発明のゲル化組成物は、少なくとも４カ月に亘るｐＨ保存安定性を与えるマイクロエマルジョンを包含する。ｐＨ保存安定性は、標準温度及び標準気圧において組成物が保存された場合の逸脱が１ｐＨ単位未満である、標準温度及び標準気圧において計測される組成物のｐＨ変化として定義される。
【０００９】
本発明は、塗料、樹脂及びその他の脂溶性汚れに関する従来の洗浄特性を維持しつつ、保存安定性を達成する。特定の添加剤の選択により、本発明のゲル化洗浄組成物は、局所皮膚洗浄、塗料剥離剤、部品脱脂洗浄剤、ブレーキクリーナー、又は基材調製材料（substrate preparation material）用に容易に配合される。
【００１０】
本発明のゲル化洗浄組成物の配合集を、下表１に要約する。
【００１１】
【表１】
0005902722.tif 000002
【００１２】
所与の配合物の詳細に関わらず、本発明の組成物は、マイクロエマルジョンを含むことにより、少なくとも４カ月の期間に亘るｐＨ保存安定特性及び均質性保持特性を有することが理解される。
【００１３】
本発明の組成物は、標準温度及び標準気圧（２５℃、７６０トルであるＳＴＰ）で液体の油、又はＳＴＰで展性のワックスを包含する。本明細書において油又は室温のワックスは、選択される油又はワックスが他の組成物成分と適合性であるとともに実質的に非反応性であるという要件によってのみ作用的に制限される。本明細書中で定義される「実質的に非反応性」は、組成物の他の構成成分と形成される共有結合が１モル％未満であることを意味するものとして本明細書を通じて使用される。本明細書に記載の（operative herein）油及びワックスの例としては、鉱油；ワセリン；大豆、ナタネ、キャスターベンオイル（castor ben oil）（ベン油（ben））、ヒマワリ、落花生、綿実、パーム核、ココナッツ、トウモロコシ、アマニ、及びベニバナ等の天然油；パラフィン等のワックス、及びミツロウ；これらの硬化物；これらのメトキシル化物；これらのエトキシル化物；並びにこれらの組み合わせが挙げられる。本発明の配合物において油成分又はワックス成分は、典型的には０．１〜９．９総重量％、好ましくは２〜６総重量％存在する。特定の理論に束縛されることを意図するものではないが、油成分又はワックス成分は、標的となる脂溶性汚れ、樹脂、塗料又はその他の残留物の可溶化を促すと考えられる。
【００１４】
本発明の組成物は、本発明の組成物に対して、その相均質性及び安定性を促進するために１つ又は複数の乳化剤を包含する。また、乳化剤は、標的となる汚れ、樹脂又はその他の物質の本発明の組成物内での可溶形態への可溶化又はコロイド形態への崩壊（disintegration：分散）を向上させる役割を果たすと考えられる。本明細書に記載の乳化剤は、本発明の組成物の他の成分と化学的に適合性であるとともに、実質的に非反応性であること、及びｐＨ保存安定性及び相均質性を保持するために必要な分量においてのみ作用的に制限される。本明細書に記載の乳化剤のタイプとしては、Ｃ6〜Ｃ12アルコールエトキシド−プロポキシド（ＥＯＰＯ）付加物、高分子カルボキシレート、及び分子乳化剤が挙げられる。本発明における乳化剤の総添加量及びこれらの組み合わせは、本発明のゲル化洗浄組成物の安定性を保持するために具体的な個々の特性に基づいて或る程度変化するが、乳化剤の分量を選択する際に関連する要因としては、存在するマイクロエマルジョンの分量、組成物の粘性、存在する油及び／又はワックスの分子量が挙げられる。アルキルアルコールアルコキシド付加物乳化剤の具体例として、分子量８００〜４０００の商品名ＧＥＮＡＰＯＬ（商標）として市販されているＣ8〜Ｃ10アルコールエトキシド−プロポキシド付加物が挙げられる。乳化剤として作用する高分子カルボキシレートとしては、ポリアルケニルエーテル又はジビニルグリコールで架橋されたアクリル酸の重合体が挙げられ、「ＣＡＲＢＯＰＯＬ（商標）」として商業上既知である。典型的なＣＡＲＢＯＰＯＬ（商標）ポリマー微粒子は、平均径０．２〜６ミクロンの大きさであり、フロック状凝集物（flocculated agglomerates）であることを特徴とする。総分子量、架橋間の分子量が異なる結果、粘度が異なり、ＣＡＲＢＯＰＯＬ（商標）重合体１ｇ当たりの水膨潤特性が異なる重合体を利用することができると理解される。通常、約５００原子質量単位未満の分子量により特徴づけられる分子乳化剤は、脂肪族配列と、１つ又は複数のヒドロキシル残基、カルボキシレート残基、第４級アミン残基、及びスルホネート残基等の親水性置換基とを包含する。本明細書に記載の分子乳化剤の例としては、トリエタノールアミン、セチルステアリルアルコール、セスキオレイン酸ソルビタン、ポリオキシエチレンソルビタンモノパルミテート、ポリオキシエチレンソルビタンモノオレエート、非エトキシル化グリセリルモノステアレート、セテアリルアルコール、ステアロイル乳酸ナトリウム、レシチン、及びこれらの組み合わせが挙げられる。典型的には、分子乳化剤は、０．５〜３総重量％存在する。好ましくは、ＣＡＲＢＯＰＯＬ（商標）乳化剤と、少なくとも１種の分子乳化剤とを包含する、乳化剤パッケージが提供される。付加物タイプの乳化剤が、ＣＡＲＢＯＰＯＬ（商標）乳化剤及び分子乳化剤とともに存在するのがより好ましい。乳化剤付加物タイプ：ＣＡＲＢＯＰＯＬ（商標）乳化剤：分子乳化剤の代表的な範囲は、例示的配合物において、重量基準で０１〜０．４：０．０６〜０．２０：１である。
【００１５】
また、本発明の組成物は、アルキレングリコール又はその重合体を包含する。本発明においてアルキレングリコールは、エチレングリコール、プロピレングリコール、これらの組み合わせ、ポリエチレングリコール、ポリプロピレングリコール、混合ポリ（エチレングリコール−プロピレングリコール）、及びこれらの組み合わせである。本発明に存在するアルキレングリコールの典型的な分量は、０．００２〜１１総重量％の範囲であり、好ましくは０．１〜９総重量％である。
【００１６】
本発明の組成物の構成成分である油／展性ワックス、乳化剤、及びアルキレングリコールは、０．３〜１５総重量％、好ましくは１．８〜６総重量％でマイクロエマルジョンを包含することによって、該組成物の残部パーセントを構成する水及び任意の添加剤とともに、少なくとも４カ月に亘って相分離に耐えるｐＨが安定なゲル化組成物を形成する。マイクロエマルジョンは、好ましくは予め混合され、残りの組成物構成成分と混合された濃縮物として提供される。本明細書に記載のマイクロエマルジョンとしては、水溶性かつ非ソーピング（non-soaping）のアニオン界面活性剤が挙げられ、これにはヒドロキシル、スルホネート、サルフェート又はカルボキシレートの少なくとも１種の親水性残基とともに８〜２６炭素原子、好ましくは８〜２０脂肪族炭素を含む有機疎水性基が含まれる。分子の疎水性部分としては、典型的には、Ｃ8〜Ｃ22アルキル基、アリール基、又はアクリル基が挙げられる。界面活性剤は、当該技術において一般的な、塩形成カチオンを伴う塩として存在する。本明細書に記載の非ソーピングアニオン界面活性剤の例としては、直鎖アルキルベンゼンスルホネート、オレフィンスルホネート、ヒロドロキシルアルカンスルホネート、パラフィンスルホネート、エトキシル化Ｃ8〜Ｃ24アルキルエーテルスルフェート、及びジ（Ｃ1〜Ｃ8アルキル）スルホスクシネート、並びにこれらの組み合わせが挙げられる。非ソーピング水溶性アニオン界面活性剤に加え、本発明の組成物のマイクロエマルジョン成分を、極性有機分子と混合する。極性有機分子は、疎水性脂肪族部分と、少なくとも１つの親水性残基とを有する。典型的には、マイクロエマルジョンの極性有機成分の分子量は、５０〜５００原子質量単位である。また、上記に詳述される分子乳化剤は、本明細書においてマイクロエマルジョン成分の極性有機成分としても作用することが理解される。分子乳化剤に加え、本発明の組成物において作用する極性有機成分の例としては、Ｃ2〜Ｃ14ジオール；アジピン酸、グルタル酸及びコハク酸のＣ1〜Ｃ6エステル等の二塩基性エステル；並びにこれらの組み合わせが挙げられる。好ましくは、非ソーピングアニオン界面活性剤を、相の大部分を占める水の存在下で少なくとも２種の異なるタイプの極性有機物とともに混合してマイクロエマルジョンを形成する。マイクロエマルジョン形成に関する代表的な配合及び技法の例は、米国特許第５，５２３，０２５号及び米国特許第６，１６５，９６２号において詳述される。汚れ、及び脂溶性樹脂又は残渣の除去を促進するため、任意に、マイクロエマルジョンにテルペン又はテルペノイドを添加する。マイクロエマルジョンに包含される好適なテルペン及びテルペノイドの例としては、リモネン、及びテルペンチン精が挙げられる。本発明においてマイクロエマルジョンは、２０〜６０マイクロエマルジョン総重量％の極性有機物、２０〜６０マイクロエマルジョン総重量％の水、５〜３０％のアニオン界面活性剤、及び任意に０〜２０％のテルペン、テルペノイド又はこれらの組み合わせを混合することによって容易に形成される。形成の後得られたマイクロエマルジョンを、０．３〜１５総組成物重量％、好ましくは本発明の組成物の１．８６総重量％の量で本発明のゲル化洗浄組成物に添加する。
【００１７】
油／展性ワックス、アルキレングリコール、乳化剤、及びマイクロエマルジョンを含み、残部が水であるベースゲル化組成物は単独で、硬化した塗料、ワニス、樹脂、及びシリコーンの除去又は軟化に有効である。本発明のベース組成物は、ハンドクリーナー又は剥離ゲル等に見られる使用に際する具体的な利点を与えるため、任意の添加剤を包含することによって容易に改良されることが理解される。
【００１８】
ゲル化ハンドクリーニング組成物の形成に適した本発明のベース組成物に対する任意の添加剤としては、典型的には２〜２０総重量％の量の軽石、炭化ケイ素、砂粒、又はこれらの組み合わせ等の研磨剤；０．００５〜３総重量％の分量で存在する、ラノリン、ワセリン、ビタミンＥオイル、アロエベラ、又はホホバ等の皮膚軟化剤；典型的には０．００１〜３総重量％存在する、香料化合物；典型的には０〜２総重量％で存在し、より高い塩添加量の水中での脂溶性汚れ浮き（lipophilic soil lift）を高めるのに適している、酸化マグネシウム、硫酸マグネシウム、水酸化マグネシウム、塩化マグネシウム、カルボン酸マグネシウム、ハロゲン化マグネシウム、又は硝酸マグネシウム等の多価金属イオン塩及びアルミニウム、鉄、カルシウムのイオン塩、並びにこれらのアニオンと塩を形成するその他の多価金属イオン；典型的には０〜２総重量％、好ましくは０．００５〜１総重量％で存在する、例示的には、クオタニウム及びその他の従来の抗菌薬が挙げられる、保存安定性を高める抗菌薬；０〜２総重量％、好ましくは０．２〜０．６総重量％で存在する、起泡剤（含まれる場合には）；は典型的には０総重量％から０．４総重量％未満、好ましくは０．２総重量％未満で存在する、二塩基性エステル；０〜１総重量％、好ましくは０〜０．３総重量％の量で存在する、着色剤；並びに本発明の組成物のｐＨ保存安定性及び相安定性を保ちながら、該組成物全体のｐＨを所望の値に調整するために適切な分量で存在する、鉱酸、有機酸、又は水酸化ナトリウム若しくは水酸化カリウム等の水酸化源、ＥＤＴＡ又はその塩等のｐＨ緩衝溶液といったｐＨ改変源（pH modifying source）が挙げられる。典型的なｐＨ値は、配合完了時でｐＨ６〜１２、好ましくはｐＨ６〜９の範囲である。
【００１９】
本発明は、以下の非限定的な実施例により更に詳述される。別段の定めがない限り、本明細書中に記載されるパーセントは本発明の配合物の総重量％である。
実施例１
【００２０】
都市用水５００ｍＬに、トリエタノールアミン１．２ｇ、ＣＡＲＢＯＰＯＬ（商標）−１３８２を０．５ｇ、Ｃ8〜Ｃ10アルコールＥＯＰＯ付加物（商品名ＧＥＮＡＰＯＬ（商標）−２２２２として販売されている）１．８ｇ、及びプロピレングリコール０．９ｇを順次添加する。その後、マイクロエマルジョン３．５ｇを添加する。マイクロエマルジョンは、ジ（へキシル）スルホコハク酸ナトリウム２０エマルジョン％、二塩基性エステル４０％、及びポリエチレングリコール（ＭＷ２００）１０マイクロエマルジョン重量％で構成され、残部は水である。該エマルジョンの添加とともに、クオタニウム−１５を０．１ｇ；香料０．２５ｇ；鉱油４ｇ；軽石８ｇ；並びに微量のラノリン、アロエベラ、ビタミンＥオイル、及びホホバ油を包含する追加成分を加える。更に都市用水２９５ｇを添加しておよそ１Ｌの容量とし、この混合物を均質になるまで２０℃で撹拌する。得られた組成物は、２分間の使用者の手との相互作用の後、温水で洗い流すことによって、本発明のゲル化ハンドクリーナー組成物１ｇ当たり０．１ｇを超えるワセリンゼリーを溶解可能であるか、又は手から浮き上がらせることができる、効果的なゲル化ハンドクリーナーを構成する。
【００２１】
２０℃で４カ月保存の後、ｐＨは配合時のｐＨの０．５単位内であり、本発明の組成物は単相ゲルのままであることが確認される。
実施例２
【００２２】
実施例１のゲル化洗浄組成物を、エマルジョン中のスルホスクシネートに代えてドデシルベンゼンスルホネートを使用し、再度配合する。本発明の配合物中、エマルジョンは３総重量％の量で存在する。上記実施例１で詳述されるＣＡＲＢＯＰＯＬに代えてＣＡＲＢＯＰＯＬ−９３４を０．７ｇ使用し、その他の成分の差分を補填するために水の分量を調整する。実施例１と同様の特性を有するゲル化洗浄組成物が得られる。
実施例３
【００２３】
都市用水５００ｍＬに、トリエタノールアミン１．２ｇ、ＣＡＲＢＯＰＯＬ  １３８２を０．５ｇ、Ｃ8〜Ｃ10アルコールＥＯＰＯ付加物（商品名ＧＥＮＡＰＯＬ（商標）−２２２２として販売されている）１．８ｇ、及びプロピレングリコール０．９ｇを順次添加する。その後、マイクロエマルジョン３．５ｇを添加する。マイクロエマルジョンは、ジ（へキシル）スルホコハク酸ナトリウム２０エマルジョン％、二塩基性エステル４０％、及びポリエチレングリコール（ＭＷ２００）１０マイクロエマルジョン重量％で構成され、残部は水である。該エマルジョンの添加とともに、クオタニウム−１５を０．１ｇ；香料０．２５ｇ；及び鉱油４ｇを包含する追加成分を加える。都市用水を添加しておよそ１Ｌの容量とし、この混合物を均質になるまで２０℃で撹拌する。得られた組成物は、１０分間の接触の後、本発明のゲル化シリコーンガスケット組成物１ｇ当たり０．２ｇを超えるＲＴＶシリコーンを軟化することができるか、又は浮き上がらせることができる、効果的なゲル化シリコーンガスケットリムーバーを構成する。
【００２４】
２０℃で４カ月保存の後、ｐＨは本発明の組成物が配合された際の０．３ｐＨ単位内であり、単相ゲルのままであることが確認される。
実施例４
【００２５】
実施例３のゲル化洗浄組成物を、マイクロエマルジョン中のスルホスクシネートに代えてエトキシル化Ｃ12アルキルエーテルスルホネートを使用して、再度配合する。本発明の配合物中、マイクロエマルジョンは２．２総重量％の量で存在する。実施例３と同様の特性を有するゲル化洗浄組成物が得られる。
【００２６】
本明細書において言及した特許文献及び刊行物は、本願が関する技術分野の当業者に通用する水準にある。これらの文献及び刊行物は、各個々の文献又は刊行物が、引用することにより詳細に及び個々に本明細書の一部をなすかのように、引用することにより同程度に本明細書の一部をなすものとする。
【００２７】
上記記載は、本発明の特定の実施態様の例証であるが、その実施に際する制限を意味するものではない。添付の特許請求の範囲は、その全ての均等物を包含し、本発明の範囲を規定することを意図するものである。以下、本発明の実施形態を列記する。
〔１〕
ゲル化洗浄組成物であって、
液体油又は展性ワックスを０．１〜９．９総重量％と、
乳化剤を０．０１〜１０総重量％と、
アルキレングリコールを０．００２〜１１総重量％と、
マイクロエマルジョンを０．２〜１５総重量％と、
前記組成物が２０℃での少なくとも４カ月の保存に亘って単相であるように該組成物の大部分を占める水と、
を含む、組成物。
〔２〕
前記乳化剤が、Ｃ6〜Ｃ12アルコールエチレンオキシド−プロピレンオキシド付加物、高分子カルボキシレート、又は分子量が５００原子質量単位以下の分子乳化剤の少なくとも１種を包含する、項目１に記載の組成物。
〔３〕
前記乳化剤が、少なくとも１種の前記付加物と少なくとも１種の前記高分子カルボキシレートとを含む、項目２に記載の組成物。
〔４〕
前記乳化剤が、少なくとも１種の前記分子乳化剤と少なくとも１種の前記高分子カルボキシレートとを含む、項目２に記載の組成物。
〔５〕
前記乳化剤が、少なくとも１種の前記付加物と少なくとも１種の前記高分子カルボキシレートと少なくとも１種の前記分子乳化剤とを含む、項目２に記載の組成物。
〔６〕
前記マイクロエマルジョンが０．３〜１総重量％存在する、項目１に記載の組成物。
〔７〕
研磨剤を更に含む、項目１に記載の組成物。
〔８〕
皮膚軟化剤を更に含む、項目７に記載の組成物。
〔９〕
該組成物のｐＨを６〜９とするためにｐＨ添加剤を更に含む、項目１に記載の組成物。
〔１０〕
多価金属イオン塩を更に含む、項目１に記載のゲル化組成物。
〔１１〕
前記マイクロエマルジョンが、二塩基エステル、水、極性有機溶媒、及びスルホネート、サルフェート又はホスホネートであるアニオン界面活性剤を含む、項目１に記載の組成物。
〔１２〕
前記アニオン界面活性剤がスルホスクシネートである、項目１１に記載の組成物。
〔１３〕
前記極性有機溶媒が、二塩基性エステル、Ｃ2〜Ｃ14ジオール又はこれらの組み合わせの少なくとも１種を含む、項目１１に記載の組成物。
〔１４〕
手の洗浄方法であって、
液体油又は展性ワックスを０．１〜９．９総重量％と、乳化剤を０．０１〜１０総重量％と、アルキレングリコールを０．００２〜１１総重量％と、マイクロエマルジョンを０．２〜１５総重量％と、前記組成物が２０℃での少なくとも４カ月の保存に亘って単相であるように該組成物の大部分を占める水とを含む組成物を塗布することと、
手の脂溶性物質と前記組成物が相互作用するために十分な時間おくことと、
前記組成物及び一部の前記脂溶性物質を手から除去することと、
を含む、方法。
〔１５〕
脂溶性物質で覆われた無生物基材の洗浄方法であって、
液体油又は展性ワックスを０．１〜９．９総重量％と、乳化剤を０．０１〜１０総重量％と、アルキレングリコールを０．００２〜１１総重量％と、マイクロエマルジョンを０．２〜１５総重量％と、前記組成物が２０℃での少なくとも４カ月の保存に亘って単相であるように該組成物の大部分を占める水とを含む組成物を、前記脂溶性物質に塗布することと、
基材上の脂溶性物質と前記組成物が相互作用するために十分な時間おくことと、
前記組成物及び一部の前記脂溶性物質を前記基体から除去することと、
を含む、方法。